(57)【要約】【課題】箱の蓋を開放するための蓋開放治具に関し、箱を開ける際、蓋の一部もしくは箱を破損してしまうことを防止する。【解決手段】複数枚の板体をヒンジHを介して折り畳んで形成される六面体状の箱10の蓋板15,16のフラップ15a,16aが他の板体の内面に接した箱10の閉塞状態で、当該フラップ15a,16aと当該他の板体の内面との隙間に挿入し、当該蓋板15,16を引き抜くことにより、箱10を開放状態とするための蓋開放治具20であって、蓋開放治具20は、略へら状に構成されたベース部21と、ベース部21の蓋開放治具20の箱10への挿入方向の一端にベース部21から起立する突起部22を備え、突起部22の挿入方向の他端側には、ベース部21から略直立し、フラップ15a,16aに接触させて、蓋板15,16を引き抜くための接触部23を有する。【選択図】図１
2011079542.tif 000002
【特許請求の範囲】
【請求項１】
複数枚の板体をヒンジを介して折り畳んで形成される六面体状の箱の蓋板のフラップが他の板体の内面に接した箱の閉塞状態で、当該フラップと当該他の板体の内面との隙間に挿入し、当該蓋板を引き抜くことにより、箱を開放状態とするための蓋開放治具であって、
前記蓋開放治具は、略へら状に構成されたベース部と、
前記ベース部の前記蓋開放治具の箱への挿入方向の一端にベース部から起立する突起部を備え、
前記突起部の前記挿入方向の他端側には、
前記ベース部から略直立し、前記フラップに接触させて、前記蓋板を引き抜くための接触部を有することを特徴とする蓋開放治具。
【請求項２】
前記突起部には、
前記挿入方向の一端側が薄く、他端側にかけて厚みを増すように傾斜する傾斜面を有することを特徴とする請求項１に記載の蓋開放治具。
【請求項３】
前記蓋開放治具の前記挿入方向と直交する方向の長さは、前記箱の前記挿入方向と直交する方向の長さと略同じであることを特徴とする請求項１、２に記載の蓋開放治具。
【請求項４】
前記突起部は、
前記隙間に挿入する際に接触部が倒伏し、挿入後に復元するように構成されていることを特徴とする請求項１〜３のいずれか１項に記載の蓋開放治具。
【発明の詳細な説明】
【技術分野】
【０００１】
この発明は、箱の蓋を開放するための蓋開放治具に関する。
【背景技術】
【０００２】
従来、箱の蓋を開ける際には、蓋と箱との隙間に人差し指などを入れて、箱を引き抜いていた。
【発明の概要】
【発明が解決しようとする課題】
【０００３】
しかし、従来の箱の開放方法では、種々の問題点があった。
すなわち、箱の蓋板のフラップと他の板体の内面との隙間に対して、指の太さが遥かに大きいため、箱を開ける際、当該隙間が大きく開き、蓋の一部もしくは箱を破損してしまうという問題点があった。
特に蓋のフラップと箱の内面とが糊付けされているような場合は、破損の度合いは顕著であった。
しかし、出荷前の製品を検査するために大量の箱を開ける必要がある製品検査部門では、箱の一部を破損することは許されず、箱を開ける作業に慎重さが要求され、作業性が悪くなっていた。
【０００４】
また、小さい隙間に指を挿入することにより、蓋や箱と指とが接触し、挿入した指を怪我するという問題点があった。
【０００５】
さらに、箱を開けるために指を入れても蓋や箱が破損しづらい、又は指を怪我しづらいようにするためには、指を入れる際に箱の蓋板のフラップや他の板体の内面が容易に大きく撓むための空間を確保することが求められ、これを実現するためには箱に収容される内容物に対して箱を遥かに大きくする必要がある。
しかし、箱に収容される内容物に対して箱が遥かに大きいと、箱とその内容物との空間が大きくなるために搬送の際に内容物が箱の中で振動しやすくなり、これを防ぐためには箱の中に緩衝材など封入する必要があり、梱包の費用が上がるという問題点があった。
また、箱が大きいことにより単位面積あたりに運べる箱の量が少なくなり、搬送の効率が悪くなるという問題点があった。
【０００６】
本発明は、上記のような問題点に鑑みなされた、新規な蓋開放治具に関する。
【課題を解決するための手段】
【０００７】
各請求項にそれぞれ記載された各発明は、上記した目的を達成するためになされたものであり、各発明の特徴点を図面に示した発明の実施の形態を用いて、以下に説明する。
本発明に係る蓋開放治具は、複数枚の板体をヒンジを介して折り畳んで形成される六面体状の箱の蓋板のフラップが他の板体、例えば後面板の内面に接した箱の閉塞状態で、当該フラップと当該他の板体の内面との隙間に挿入し、当該蓋板を引き抜くことにより、箱を開放状態とするためのものである。
【０００８】
蓋開放治具は、略へら状に構成されたベース部と、ベース部の蓋開放治具の箱への挿入方向の一端にベース部から起立する突起部を備える。
【０００９】
突起部の挿入方向の他端側には、ベース部から略直立し、フラップに接触させて、蓋板を引き抜くための接触部を有する。
【００１０】
突起部には、挿入方向の一端側が薄く、他端側にかけて厚みを増すように傾斜する傾斜面を有する。
【００１１】
蓋開放治具の挿入方向と直交する方向の長さは、箱の挿入方向と直交する方向の長さと略同じである。
【００１２】
突起部は、隙間に挿入する際に接触部が倒伏し、挿入後に復元するように構成されている。
【発明の効果】
【００１３】
本願各発明は、以上のように構成されているので、以下に記載されるような効果を奏する。
すなわち、箱を開ける際、蓋の一部もしくは箱を破損してしまうことを防止することができる。
【００１４】
特に大量の箱を開ける必要がある製品検査部門などで、簡易な方法で、箱の一部を破損することなく箱を開けることができ、作業効率を良くすることができる。
【００１５】
箱を開ける際に、蓋や箱と指とが接触し、挿入した指を怪我することを防止することができる。
【００１６】
箱に指を挿入するための無駄なスペースを確保する必要がないことから、箱を内容物に対して必要最小限の大きさにすることができ、又、搬送の際に多くの箱を搬送でき搬送効率を上げることができる。さらに、当該スペースに内容物を保護する緩衝材を入れる必要もなくすことができる。
【図面の簡単な説明】
【００１７】
【図１】蓋開放治具の斜視図である。
【図２】箱を展開した状態を示す展開図である。
【図３】蓋開放治具を箱に挿入する状態を示す説明図である。
【図４】図３の状態から、蓋開放治具を箱に挿入した状態を示す説明図である。
【図５】図４の状態から、蓋開放治具を引き抜いた状態を示す説明図である。
【図６】蓋開放治具の動作を説明するための概略断面図である。
【図７】図６の状態から、更に蓋開放治具を箱に挿入した状態を説明するための概略断面図である。
【図８】図７の状態から、蓋開放治具を引き抜いた状態を説明するための概略断面図である。
【図９】図８の状態から、更に蓋開放治具を引き抜いた状態を説明するための概略断面図である。
【図１０】本発明の第２の実施の形態の一例を示し、同図は蓋開放治具の側面図である。
【図１１】本発明の第２の実施の形態の他の一例を示し、同図は蓋開放治具の側面図である。
【発明を実施するための形態】
【００１８】
本実施の形態の蓋開放治具は、次のような箱の蓋を開放するためのものである。
（箱10）
箱10は、図２に示すように、例えば薄板状の紙をプレス裁断機などを用いて裁断した１枚の板状部材から構成されている。
箱10は、図２〜５に示すように、複数枚の板体を薄肉のヒンジH1〜H12の部分で折り畳むことにより、上下（例えば蓋側・底側）を開放可能な六面体に形成される。
【００１９】
箱10は、図２に示すように、複数枚の板体を構成する次の各部を備える。
（１）前面板11
（２）後面板12
（３）左右の側面板13,14
（４）上下の蓋板15,16
【００２０】
（前面板11）
前面板11には、図２に示すように、左右の側面板13,14、上下の蓋板15,16が薄肉のヒンジH1〜H4を介して設けられている。
【００２１】
（後面板12）
後面板12は、図２に示すように、右の側面板14に薄肉のヒンジH6を介して、前面板11に対向する位置に設けられる。
【００２２】
（左右の側面板13,14）
左右の側面板13,14は、図２に示すように、箱10内に収容される物の厚み方向に互いに対向するものである。
左右の側面板13,14には、図２に示すように、薄肉のヒンジH9〜H12を介してフラップ13a,14aが設けられ、蓋板15,16が箱10の内側にもぐり込まないようにするとともに、当該フラップ13a,14aが蓋板15,16のフラップ15a,16aに引っ掛かることで、蓋板15,16が意図せず開かないようにしている。
【００２３】
また、左の側面板13には、図２に示すように、接続片13bが薄肉のヒンジH5を介して設けられている。
接続片13bは、箱10の折り合わせ時に、箱10の内側へ折り込まれて、後面板12の内側と接着剤などにより一体化される。
【００２４】
（上下の蓋板15,16）
上下の蓋板15,16は、箱10の上面及び下面の開放された開口部17を塞ぐものである。
【００２５】
蓋板15,16には、蓋板15,16の自由端側に薄肉のヒンジH7〜H8を介してフラップ15a,16aが設けられている。
フラップ15a,16aは、図３〜図５に示すように、開口部17を塞ぐ際に、後面板12の内側に対向して接触するように箱10内に挿入されるものである。
そして、図３〜図５に示すように、フラップ15a,16aのヒンジH7〜H8と後面板12の内面との間に隙間17aが生じ、当該隙間17aに蓋開放治具20を挿入させるようにしている。
【００２６】
また、ヒンジH7〜H8の両側には、左右の側面板13,14のフラップ13a,14aと引っ掛かる切れ込み部15b,16bが設けられている。
これにより、蓋板15,16が意図せず開かないようにすることができる。
【００２７】
（蓋開放治具20）
蓋開放治具20は、図２に示すように、複数枚の板体をヒンジH1〜H12を介して折り畳んで形成される六面体状の箱10の蓋板15,16のフラップ15a,16aが他の板体の内面、例えば後面板12の内面に接した箱10の閉塞状態で、図３〜図５に示すように、当該フラップ15a,16aと当該他の板体、例えば後面板12の内面との隙間に挿入し、当該蓋板15,16を引き抜くことにより、箱10を開放状態とするためのものである。
【００２８】
蓋開放治具20は、図１に示すように、次の各部を備える。
（１）ベース部21
（２）突起部22
【００２９】
（ベース部21）
ベース部21は、図１に示すように、略へら状に構成されたものである。
具体的には、略矩形の平板状に構成されている。
また、ベース部21は、フラップ15a,16aと後面板12の内面との隙間17aに挿入しやすいように、薄板であることが望ましい。
これにより、特に、撓みにくく硬い素材からなる箱にも挿入し易くすることができる。
【００３０】
（突起部22）
突起部22は、図１、図３〜図５に示すように、ベース部21の蓋開放治具20の箱への挿入方向の一端側に設けられ、当該ベース部21から起立するものである。
【００３１】
図３に示すように、突起部22の挿入方向と直交する方向の長さＭは、箱10の挿入方向と直交する方向の長さｍと略同じに設定されている。
これにより、フラップ15a,16aの一部ではなくフラップ15a,16aの略全体を突起部22で引っ掛けることができ、フラップ15a,16aの一部にのみ力が加わることによりフラップ15a,16aを傷めることを防止することができる。
【００３２】
また、突起部22は、ベース部21とは別のパーツとして構成され、ベース部21に貼り付けて構成される。
具体的には、図１に示すように、三角柱のパーツを横に寝かせて、ベース部21の挿入方向側に貼り付けられることにより構成される。
なお、突起部22をベース部21とは別のパーツとして構成する場合に限定されず、ベース部21と一体に成形されても良い。また、ベース部21の一端側を他端側に折り返して構成しても良い。
【００３３】
突起部22は、図１に示すように、次の各部を備える。
（１）接触部23
（２）傾斜面24
【００３４】
（接触部23）
接触部23は、図１に示すように、突起部21の挿入方向の他端側に設けられ、ベース部21から略直立し、フラップ15a,16aに接触させて、蓋板15,16を引き抜くためのものである。
具体的には、図１に示すように、接触部23は、ベース部21の上面に対し略垂直な平面状に形成される。
これにより、所謂かえしの役割を果たし、接触部23に引っ掛かるフラップ15a,16aの先端が引っ掛かりを解除されることなくフラップ15a,16aを引き抜くことができる。
なお、ベース部21の上面に対し略垂直に形成される場合に限定されず、接触部23とベース部21とが接する箇所が、傾斜面24と接触部23とが接する箇所である接触部頭頂部23aよりも相対的に先端部24a寄りに位置するように傾斜する形状にしても良い。
これにより、さらにフラップ15a,16aの先端を強く引っ掛けることができるようになる。
【００３５】
（傾斜面24）
傾斜面24は、図１に示すように、挿入方向の先端に位置する先端部24aから接触面23にかけて厚みを増すように傾斜するものである。
これにより、蓋開放治具20を隙間17aへ挿入する際に、突起部22が蓋板15,16に引っ掛かること無く、蓋開放治具20の挿入を補助することができる。
【００３６】
（動作）
つぎに、本実施の形態にかかる蓋開放治具20の動作について図６〜図９を用いて説明する。
まず、図６に示すように、フラップ15a,16aと後面板12の内側との隙間17aに、ベース部21が後面板12と対向するように蓋開放治具20の一端側を挿入する。
なお、当該挿入の際に、隙間17aより蓋開放治具20の厚みの方が大きいので、主として後面板12を撓ませて挿入される。
蓋開放治具20が挿入されると、突起部22によってフラップ15a,16aが傾斜面24に沿って箱10の内側（前面板11側）に押され、ヒンジH7で折り曲げられる。
当該状態のまま、突起部22がフラップ15a,16aを越える図７に示す状態まで蓋開放治具20を挿入する。
図７に示す状態まで蓋開放治具20を挿入すると、フラップ15a,16aが元の状態に復元し、ベース部21と対向する状態に戻る。
【００３７】
図７に示す状態から、図８に示すように、蓋開放治具20を引き抜くと、接触部23にフラップ15a,16aの先端が接触して引っ掛かり、蓋板15,16が持ち上がる。
図８に示す状態から、図９に示すように、蓋開放治具20を引き抜き続けると、蓋板15,16が持ち上がり、箱10を開放状態にする。
【００３８】
（第２の実施の形態）
つぎに、図１０及び図１１を用いて、本発明の第２の実施の形態について説明する。
本実施の形態の特徴は、図１０及び図１１に示すように、突起部22を、隙間17aに挿入する際に当該挿入をし易いように、接触部頭頂部23aがベース部21側に近づいて接触部23が倒伏するように変形し、挿入後に復元するように構成した点である。
本実施の形態によれば、蓋開放治具20を隙間17aに挿入する際に、ベース部21と接触部頭頂部23aとの距離が後面板12とフラップ15aとの距離（隙間17aの大きさ）よりも短くなるように変形することで、箱10を撓ませることなく蓋開放治具20を挿入することができる。
なお、本実施の形態の説明では、先に図１〜９を用いて説明した第１の実施の形態と同一の構成部分については、同一の符号を付して説明を省略する。
【００３９】
突起部22は、隙間17aに挿入する際に当該挿入をし易いように、接触部頭頂部23aがベース部21側に近づいて接触部23が倒伏するように変形し、挿入後に復元するように構成されている。
例えば、図１０に示すように、突起部22をゴムやスポンジなどの弾性体により構成し、図１０（ａ）に示す状態から（ｂ）に示す状態に変形可能に構成する。
これにより、挿入時にベース部21と接触部頭頂部23aとの距離が後面板12とフラップ15aとの距離（隙間17aの大きさ）よりも短くなるように弾性変形し、箱10を撓ませることなく蓋開放治具20を挿入することができる。
【００４０】
なお、この場合は、図１０に示すように、接触部23を硬い素材により形成するようにしても良い。
これにより、挿入する際は、弾性体とともに接触部23がヒンジH13でベース部21側に折り畳まれることで挿入の邪魔にならないようにできるとともに、フラップ15a,16aを引き抜く際には、弾性体の復元にあわせて接触部23が起き上がることで、フラップ15a,16aに負けずに引き抜くことができる。
【００４１】
また、例えば、図１１に示すように、突起部22を中空に形成し、図１１（ａ）に示す状態から（ｂ）に示す状態に、突起部22が３点のヒンジH14〜H16で矢印方向に折り畳み可能に構成する。
なお、この場合は、図１１に示すように、ヒンジH16が接触部頭頂部23aを形成する。
これにより、挿入時には、隙間17aに合わせて突起部22がヒンジH14〜H16でベース部21側に折り畳まれて変形し、箱10を撓ませることなく蓋開放治具を挿入することができるとともに、フラップ15a,16aを引き抜く際には、突起部22が復元して接触部23が起き上がることで、フラップ15a,16aに負けずに引き抜くことができる。
【００４２】
なお、この場合には、第１の実施の形態のように、接触部をベース部21の上面に対し略垂直に形成される場合に限定されず、図１１に示すように、挿入方向の他端側に傾斜するように形成にしても良い。
これにより、中空に形成された突起部22がヒンジH14〜H16で折り畳みやすくすることができる。
【符号の説明】
【００４３】
10  箱                    11  前面板
12  後面板                13  左の側面板
13a  フラップ             13b  接続片
14  右の側面板            14a  フラップ
15  上の蓋板              15a  フラップ
15b  切れ込み部           16  下の蓋板
16a  フラップ             16b  切れ込み部
17  開口部                17a  隙間
20  蓋開放治具            21  ベース部
22  突起部                23  接触部
23a  接触部頭頂部         24  傾斜面
24a  先端部               H  ヒンジ
【図１】
2011079542.tif 000003
【図２】
2011079542.tif 000004
【図３】
2011079542.tif 000005
【図４】
2011079542.tif 000006
【図５】
2011079542.tif 000007
【図６】
2011079542.tif 000008
【図７】
2011079542.tif 000009
【図８】
2011079542.tif 000010
【図９】
2011079542.tif 000011
【図１０】
2011079542.tif 000012
【図１１】
2011079542.tif 000013